(57)【要約】【課題】この発明は、パネルほか相手物体が上下左右横向き、何れの凸を有しても、環状板バネが掴め内径へ納まる物は殆ど対応可能にするパネル施用具である。【解決手段】イ、板部材（１）の両端部（２）と中央部（３）へ軸受（４）を設け、環状板バネ（５）にする、両端部の軸受へ留めゴム（６）を施したことを特徴とする部品１のパネル施用具。ロ、部材上部へ懸腕部（７）、下部へフック（８）、正面へ板バネクリップ（９）を設け、裏面へマグネット（１０）を施すことを特徴とする部品２の請求項１へ記述のパネル施用具。ハ、上記の如く構成した部品１を部品２とを連繋一体化し多用途に応じることを特徴とする請求項１へ記述のパネル施用具。【選択図】  図１
2005342893.tif 000002
【特許請求の範囲】
【請求項１】
板部材の両端部と中央部へ軸受を設け、環状板バネにする、両端部の軸受へ留めゴムを施したことを特徴とする部品１のパネル施用具。
【請求項２】
部材上部へ懸腕部、下部へフック、正面へ板バネクリップを設け、その裏面へマグネット施すことを特徴とした部品２の請求項１へ記述のパネル施用具。
【請求項３】
部品１を部品２と連繋一体化し多用途に応じることを特徴とする請求項１へ記述のパネル施用具。
以上の如く構成したパネル施用具である。
【発明の詳細な説明】
【０００１】
【発明の属する技術分野】
この発明は、数多くのパーテションパネルが存在、横厚み幅が凡そ３０ｍｍ〜６０ｍｍを中心に１０ｍｍずつ横広に成って幾種類もある、また上部パックル部分の縦厚み幅にも凡そ１０ｍｍ〜２０ｍｍまで幾種類も存在、これら異なる横厚み幅と縦厚み幅にも対応可能な方法、利便性とニーズへ応えられる用具、パネル以外にも相手物体例えば棚板、机、鴨居、吊りコード、壜ボトル等へも使用可能にする、物体を双方から掴み鋏んで装着する環状板バネ部品と是へ留め、鋏む、吊る等装備した部品とを連繋一体化した用具であり相手物体が上下左右横向きのいずれの凸で有っても、環状バネ内へ掴み、納まる物すべてに対応するパネル施用具に関する。
【０００２】
【従来の技術】
これまでパネルには押しピン、画鋲など仮留めの気持ちで使用している、しかしメモなど僅かに物が触れただけでピンが抜け落ちる、画鋲を抜くにも爪を傷める、別パネルにはマグネットも施用している、現存する対応具には只掛けるだけの物か大掛かりなパーテションフックが在り部品を填めるか、装着時パネル幅に合せアジャストし固定する、これにフックを施している、だから物を吊る製品しか見当たらない、必要としながらこれら以外に対応する用具が無かった。
【０００３】
【発明が解決しようとする課題】
限られたフロアスペース、机上も狭いメモ、スケジュール、周知徹底事等眼にする所で広告表示したい、しかし仕様の異なるパネル毎に異なる留め具、吊る具、マグネットでは煩雑不都合であった。
【０００４】
【課題を解決するための手段】
請求項１、板部材（１）の両端部（２）と中央部（３）へ軸受（４）を設け、焼入れて、環状板バネ（５）にする、その両端部の軸受へ留めゴム（６）を施したことを特徴とする部品１のパネル施用具。
イ、外形Ｒ、荷重値、安全応力値を計算の上、適する環状板バネとする。
寸法１０ｍｍを６０ｍｍまで広げた場合、外形Ｒを幾らにすれば応力がもつか、一例  Ｒ４０  荷重０，１１  応力３０，９とおよそ成る。
ロ、部品１の環状板バネの両端部へ施した留めゴム部分の双方を開きパネル及び相手物体を掴み鋏む。
ハ、部品１の環状板バネ及び留めゴム作用自体がメモ、書類、カレンダー等の留め具にする事ができる。
ニ、部品１の環状板バネ中央部位置の軸受は主に縦の物体を掴み鋏み留める、後述の部品２を連繋一体化し機能させる為である、この部分は軸受に換えフックでもよい。
ホ、部品１の環状板バネ形成は線バネ、ピアノ線でもよい、いずれも焼入れを施し弾性とバネ戻りを得る、その為であれば形状記憶合金応用も可能、環状バネはどの部分へも平均負荷が架るが、特に強度を必要とする場合又は最大に開く場合、環状の中心部をやや広げるか補強して対応する。
ヘ、また、上記イを部分平面にしてもよい、この事により環状部分が突起食み出を抑制する、部品１は相手物体に併せ大小、広狭、長短する。
ト、環状バネに係る両端部の留めゴム部分は相手物体を確実に掴み鋏み脱落のない事が主務であり、其の為の有効手段であればゴム自体の形状を環状の他別形状も選択採用できる。
チ、ゴムはゴム及び樹脂材で形成、着色し粘着性を持たせば尚よい。
リ、部品１環状板バネの両端部へ軸受を設けており、後述の部品２を左右双方へも装置可能にする。
【０００５】請求項２、部材上部へ懸腕部（７）、下部へフック（８）、正面へ板バネクリップ（９）を設け、バネ化する、その裏面へマグネット（１０）を施すことを特徴とする部品２の請求項１へ記述のパネル施用具。
イ、部品２へフックを設けた場合強度を要求の為、荷重、安全応力値に適合さす、さらにバネ化、厚みを考慮する。
ロ、部品２本体裏面がパネルへ接する個所のマグネットは用途別施工とする、スチール地パネルに有効である。
ハ、部品２を部品１へ片方又は双方を懸腕部で連繋一体化するが着脱も可能、またパネル下部でも使用可能する為、やや長身の別ユニットを部品１の軸受けへ連繋するか、部品２をフックと連繋するか選択できる。
ニ、部品２へ部品１を連繋一体化する方法は多用途機能を活かす為でもある、部品１，２共一定の負荷を想定して対応するがメモ書類等負荷を考慮しない別手段には部品１環状板バネを部品２へ中通しする方法でもよい、又部品１板バネの中程を抜きフックを施しそこへ部品２を通し填める方法も有効である、簡単に懸けて抜け落ちぬ仕様方法を選択し何れも着脱自在にする。
【０００６】部品２へ懸腕部とクリップタイプ、同じく懸腕部とフックタイプ、各々単一部品化し、裏面へマグネットを施して多用途の他、用途別要求に応える。
部品２及び１を形成する部材は鋼材、アルミ、強化プラスチック等考慮し板状部材へ仕様してもよい、その特性を活かす、またカラー仕上げもできる。
部品２クリップ位置及びフック位置は長短、広狭する事ができる、部材の特性、強度によりバネ化有無の選択ができる。
【０００７】請求項３、上記の如く構成した部品１を部品２と連繋一体化し多用途に応えることを特徴とする請求項１へ記述のパネル施用具。
イ、相手物体が上下左右横向き、いずれの凸で有っても、環状バネ内へ掴み納まる物殆どが対応可能にする。
【０００８】
【発明の実施の形態】
以下図面に副って実施の形態を説明する。
【０００９】図１は、多用途構成例を示す用具の全体側面図である。
１、板部材（１）の両端部（２）と中央部（３）へ軸受（４）を設けて焼入れた、環状板バネ（５）にする、その両端部の軸受へ留めゴム（６）を施したことを特徴とする部品１のパネル施用具。
この部品１目的の主体はローパーティション等の上部パネルパックルが横長に成っており、ここを上部から一個所及び数カ所へ環状板バネの両端双方を開きながら押し填めると双方の留めゴムがパネル両面を掴み鋏む、留める役割を行う、したがって部品１自体が書類留め用具の活用が出来る、本体が折曲するからパネルの他応用すれば棚板、机、鴨居の如く横たわる物体へ横から掴み鋏む、この時軸受の作用が働き後述の部品２が左右に回転する為、ぶら下った状態に成り多様な施用を可能にする方法である。
軸受は両端に施工しており、同じ部品２を取付ければパネル両面での使用可能、又双方のゴム同士を鋏んだ環状の中にひも、ロープなど通し物を吊る施用を可能にする方法でもある。
尚、部品１は線バネ、ピアノ線で形成、又は構成しても目的と効果を得ることができるし、用途別対応の為留めゴム部分は片肺でもよい。
【００１０】同図１、部材上部へ懸腕部（７）、下部へフック（８）、正面へ板バネクリップ（９）を設けて、裏面へマグネット（１０）を施したことを特徴とする部品２の請求項１へ記述のパネル施用具。
この部品２のみでは用を充たさず部品１へ連繋一体化して始めて本来施用目的を得る、部品２の背側がパネル表面に当り、方法１板バネクリップでメモ、書類等を留める、方法２フックでカレンダー，少額縁、展示物等を吊る、下辺でも使用可能にする為に別ユニットを繋ぐ、方法３本体裏面へマグネットを施し鋏む、方法４棚板、机へ横から掴み施用、方法５天井凸、鴨居を掴み吊る、方法６渡しコードを中に通しチラシ、資料など吊り、鋏む、方法７壜ボトル首へ巻きラベルなど繋ぐ、これら多用途装備した部品２を部品１へ片方又は双方を連繋一体化し一式用具となり装着施用する。
この板バネにしたクリップへ資料を挿入し留める、この部分へ開きハンドルを設けても、押え開き仕様にしてもよい。
【００１１】以上の如く構成した部品１を部品２と連繋一体化し多用途に対応することを特徴とする請求項１へ記述のパネル施用具。
相手物体が上下左右横いずれの凸で有っても、環状バネ内で掴み納まる物、殆どに対応する、但し天井凸へは荷重に制限を設けると共に各用具の施用にも安全荷重を明示する。
【００１２】図２は多用途構成例を示す用具の正面図である。
側面図では表現できぬ部分を補完した。
【００１３】図３は多用途構成例を示す用具の分解図である。
【００１４】図４は薄板バネ部材へ仕様例を示す用具の側面図である。
目的役割と効果は請求項１と同じであり、部品２本体を薄板バネ部材ないし板状部材へ仕様、必ず焼入れ板バネ化する、生産工程、低コストなど考慮すると実用化が速い。
板バネクリップを打付けしてもよいが、板状部材へ直接クリップを形成しバネ化する事でも解決する、さらに部材自体へ例えばプラスチックスへ直接形成する方法も部品２の目的、役割に副った効果を得る。
【００１５】図５及び図６は用途別単一部品構成例を示す側面図である。
課題を解決する手段へ記述した多用途型のほか、単一型でも使いたい要求に応え目的、役割を与えて装備する、部品２へ懸腕部とクリップタイプ、同じく懸腕部とフックタイプ、各々単一部品化し、裏面へマグネットを施したパネル施用具である。
この仕様方法で部品１の軸受で連繋一体化し施用する事で目的別、用途別効果を得る。
部品２は薄板バネ部材又は板状部材へ仕様の場合、必ず焼入れバネ化する、厚みの部材へはその限りでない、用途別施用する場合マグネットを取り外してもよい、また目的、機能を保守しデザインを変化することもできる。
【００１６】図７は環状板バネ中央部へ軸受仕様例平面図である。
部品１の環状板バネ中心部へ軸受を設けている、部品１目的、役割を其の侭キープした上で上述の個所へ軸受を設ける、ここへフック仕様も可能である。
その役割は縦に装置された物体、例えばパネル横巾木へ対応する場合横で鋏む、吊る、繋ぐ必要が生じる、さらにビンボトルなど部品２を取り外して首へ巻き掴み鋏み、軸受でラベルを吊る、クリップで書類を留め、繋ぐ事が出来る、この備えで用途別目的、役割に副った効果を得る。
【００１７】以上実施の形態へ記述した多用途対応機能を整理し説明すると以下のとおりである。
１、  部品１環状バネ自体資料等留め用具であり、パネル両面で活用できること。
２、  部品１を部品２と連繋装着すれば併用型、単一型の機能をいずれも活用できること。
３、  部品１の左右双方へ部品２を連繋装着すればパネル両面で活用できること。
４、  部品１の中心部へ設けた軸受へ部品２を連繋装着すれば環状物体、縦物体へも活用できること。
５、  部品２は留める、鋏む、吊る、繋ぐ機能を装備し多用途施用に応じられること。
６、  部品２は上記５の機能をそれぞれ単一部品化し、目的別施用に応じられること。
７、  部品１の主体は物体等を掴み鋏む、部品２はクリップで書類等留める、フックで吊る繋ぐ、しかし両者を連繋一式して始めて各用具が活用可能となること。
この為部品１及び２共相手物体の形、条件等により大小型で対応する、用具の構成、機能を守りデザインを変化させる事はできる、上述した用具のすべて、カラー仕上げができる、使用者の安全と保守を第一義とし部品の面取り、樹脂コーテング等勘案し製作する。
【００１８】
【発明の効果】
煩雑に見えるオフィス、机上には整理の着かないまま散らかしていたメモ書類、足下を覗いてみるとパネルの底と机の間にはメモや押しピンが幾つか落ちていた、この様な光景を眼にしていた、先ずパネル及び相手物体を掴み鋏む環状板バネを開発し異なるパネル幅、厚みにも適応させる、是に書類など留める、吊る等機能を装備した、さらに用途別種類、多様性に対応する為、その機能を単一部品、別ユニットに仕様した、活用すると従来のように不意に資料が脱落する事なく各スペースが整理整頓され目的の留める、鋏む、簡単ちょい吊る、繋ぐ用具として充分にその役割と効果を果たしてゆく。
【図面の簡単な説明】
【図１】本発明の多用途構成例を示す用具の全体側面図である
【図２】本発明の多用途構成例を示す用具の正面図である
【図３】本発明の多用途構成例を示す用具の分解図である
【図４】本発明の薄板バネ部材へ仕様例を示す用具の側面図である
【図５】本発明の用途別単一部品構成例を示す側面図である
【図６】本発明の用途別単一部品構成例を示す側面図である
【図７】本発明の環状板バネ中央部へ軸受仕様例平面図である
【符号の説明】
１  板部材
２  両端部
３  中央部
４  軸受
５  環状板バネ
６  留めゴム
７  懸腕部
８  フック
９  板バネクリップ
１０  マグネット
【図１】
2005342893.tif 000003
【図２】
2005342893.tif 000004
【図３】
2005342893.tif 000005
【図４】
2005342893.tif 000006
【図５】
2005342893.tif 000007
【図６】
2005342893.tif 000008
【図７】
2005342893.tif 000009